(57)【特許請求の範囲】
【請求項１】
磁気テープを巻装した単一のリールがカートリッジケース内に回転可能に収容された磁気テープカートリッジにおいて、
前記磁気テープの先端部分にはリーダーピンが取り付けられており、該リーダーピンは、前記磁気テープカートリッジが記録再生装置にセットされたときに装置側のテープ引出し機構と係合する係合部を両端に備え、該係合部の端面には前記テープ引出し機構がチャッキングするための凹部が形成されていることを特徴とする磁気テープカートリッジ。
【発明の詳細な説明】
【０００１】
【発明の属する技術分野】
本発明は、磁気テープを巻装した単一のリールがカートリッジケース内に回転可能に収容された磁気テープカートリッジに関するものである。
【０００２】
【従来の技術】
従来、コンピュータ等の外部記憶装置に用いられる記録媒体として使用されている磁気テープカートリッジには、磁気テープを巻装した単一のリールが、上シェルと下シェルとからなるほぼ正方形の平面形を有する偏平なカートリッジケース内に回転可能に収容したものがある。この磁気テープカートリッジはコンピュータ等のデータ保存用に用いられている。
【０００３】
従来のこの種の磁気テープカートリッジには、例えば２種類の形式があって、その１つは、不使用時に磁気テープが完全にリールに巻き込まれた状態で、磁気テープ端に取り付けられたリーダーテープ（磁気テープカートリッジを使用する記録再生装置が磁気テープを装置内の所定のテープ走行路に導入するための手段）の先端部分が、カートリッジケースの一隅に形成されたテープ引出し用開口部を覆うように収容されるリーダーブロックに係止されるように構成されている。
【０００４】
また、他の形式のものは、カートリッジケースの一側壁に形成されたテープ引出し用開口部に、カートリッジ平面方向に回動開閉可能なリッドが閉位置に向かってばね付勢された態様で取り付けられていて、このテープ引出し用開口部内に組み込まれるフックに上記リーダーテープの先端部分が係止されるように構成されている。
【０００５】
このような構成を有する磁気テープカートリッジが、対応する外部記憶装置の記録再生装置にセットされると、下シェルの中央部に露呈しているリールの係合歯に装置側の回転駆動手段が係合するとともに、前者の場合には、装置側のテープ引出し機構により上記リーダーブロックがチャッキングされてリーダーテープとともに引き出されることによって、また後者の場合には、装置側のテープ引出し機構により先にリッドが開かれてから、上記フックが上記テープ引出し機構によりチャッキングされてリーダーテープとともに引き出されることによって、リーダーテープがテープ走行路の所定位置に引き込まれ、磁気テープへのデータの書込み／読出しが可能になる。
【０００６】
【発明が解決しようとする課題】
ところで、最近、従来用いられているリーダーブロックまたはフックに代えて、太さ３ｍｍ程度のリーダーピンを用いることが主として装置側から要請されている。しかしながら、磁気テープカートリッジが対応する外部記憶装置の記録再生装置にセットされた場合に、このような細いリーダーピンを装置側のテープ引出し機構が確実にチャッキングすることは困難であった。
【０００７】
このような事情に鑑み、本発明は装置側のテープ引出し機構が確実にチャッキングすることができるリーダーピンを備えた磁気テープカートリッジを提供することを目的とする。
【０００８】
なお、以下の記載においては、磁気テープとこの磁気テープ端に取り付けられたリーダーテープとを一括して「磁気テープ」と呼ぶことにする。
【０００９】
【課題を解決するための手段】
本発明は、磁気テープを巻装した単一のリールがカートリッジケース内に回転可能に収容された磁気テープカートリッジにおいて、磁気テープの先端部分にはリーダーピンが取り付けられており、このリーダーピンは、磁気テープカートリッジが記録再生装置にセットされたときに装置側のテープ引出し機構と係合する係合部を両端に備え、この係合部の端面にはテープ引出し機構がチャッキングするための凹部が形成されていることを特徴とするものである。
【００１０】
この場合、上記係合部に細径部が形成され、上記凹部が上記細径部の外側に形成されたフランジの端面の中心部に凹設されていることが好ましい。
【００１１】
そして、上記リーダーピンは、例えば上記係合部を両端に備えた基部と、この基部に側方から嵌着されて基部との間に磁気テープの先端部分をクランプするクランプ部材とによって構成することができる。
【００１２】
【発明の効果】
本発明によれば、その両端に備えている係合部の端面に、テープ引出し機構がチャッキングするための凹部が形成されていることにより、きわめて簡単な構成ながら、装置側のテープ引出し機構が確実にこのリーダーピンをチャッキングすることができる。
【００１３】
また、上記リーダーピンが、上記係合部を両端に備えた基部と、この基部に側方から嵌着されて基部との間に磁気テープの先端部分をクランプするクランプ部材とによって構成されている場合には、簡単な構成によって磁気テープの先端部分を確実にクランプすることができる。
【００１４】
【発明の実施の形態】
以下、本発明の実施の形態を図面に基づいて詳細に説明する。
【００１５】
図１および図２は、本発明による磁気テープカートリッジの斜視図を示し、図１はそのスライドドアの閉状態を、図２はスライドドアの開状態をそれぞれ示す。
【００１６】
磁気テープカートリッジは、上シェル１ａと下シェル１ｂとからなるカートリッジケース１内に、磁気テープが巻装された単一のリールを回転可能に収容している。カートリッジケース１の一側壁には、磁気テープの一端を引き出すためのテープ引出用開口部２が上シェル１ａと下シェル１ｂとに跨がって、かつコーナー部に近接して形成されているとともに、このテープ引出用開口部２を開閉するスライドドア３が摺動可能に設けられている。スライドドア３は、カートリッジケース１内部においてカートリッジケース１とスライドドア３の後端面との間に介装されたばねによって閉位置に向かって付勢され、かつ閉位置に保持されるようになっている。
【００１７】
テープ引出用開口部２の内側には、図２から明らかなように、磁気テープの先端部分をクランプしたリーダーピン４が収容されており、この磁気テープカートリッジが対応する外部記憶装置等の記録再生装置にセットされると、下シェル１ｂの中央部の開口に露呈している図示しないリールの係合歯に装置側の回転駆動手段が係合するとともに、装置側のテープ引出し機構によりスライドドア３の前端面３ａが押されてスライドドア３が開かれ、かつリーダーピン４が上記テープ引出し機構にチャッキングされて磁気テープとともに装置側に引き込まれることによって、磁気テープが装置側にセットされ、磁気テープに対するデータの書込み／読出しが可能になる。
【００１８】
また、カートリッジケース１の一側には、磁気テープの消去および二重書込みを防止するための回動式の操作つまみ５が露出している。
【００１９】
リーダーピン４は、一部を断面とした外形図である図３に示すように、磁気テープ１０の先端部をクランプするテープクランプ部を形成する胴部１１と、この胴部１１の上下端に形成された細径部１２，１２とを備えており、これら細径部１２，１２は、磁気テープカートリッジが記録再生装置にセットされたときに、装置側のテープ引出し機構と係合する係合部を構成する。また、細径部１２，１２の外側に形成されたフランジ１３，１３の中心部には円錐状のクランプ用凹部１３ａが形成されている。胴部１１は、幅１／２インチ（１２．７ｍｍ）の磁気テープ１０に対応する長さを有する。
【００２０】
図４（ａ），（ｂ）は、リーダーピンの一実施の形態を示す分解斜視図および横断面図である。このリーダーピン４は、細径部１２，１２の外側のフランジ１３，１３のみでなく、細径部１２，１２の内側にもフランジ１４，１４を一体に備えた比較的太い金属製または硬質プラスチック製の芯棒１５からなる基部と、この芯棒１５の外周に側方から嵌着されて芯棒１５とともに胴部１１を構成する金属製または硬質プラスチック製のクランプ部材１６とから構成されている。
【００２１】
このクランプ部材１６は、その全長に亘って軸方向に延びるスリット１６ａを備えてＣ字状の断面形状を有し、その内周面と芯棒１５の外周面との間に磁気テープ１０を介在させた態様でリット１６ａを通じ芯棒１５の外周に弾性的に嵌着されて、磁気テープ１０の先端部分を弾性的にクランプするようになっている。
【００２２】
このような構成により、磁気テープ１０の先端部分を胴部１１において確実にクランプすることができるとともに、各フランジ１３の端面の中心部に円錐状のチャッキング用凹部１３ａが形成されていることにより、きわめて簡単な構成ながら、装置側のテープ引出し機構が確実にリーダーピンをチャッキングすることができる。
【００２３】
なお、このクランプ部材１６を、上記のように弾性材で形成する代わりに、形状記憶合金で形成してもよい。その場合は、クランプ部材１６を加熱した状態で磁気テープ１０とともに芯棒１５に嵌着した後、常温に戻すことにより、クランプ部材１６が形状記憶効果により縮径されて、磁気テープ１０を芯棒１５の外周にクランプすることができる。
【図面の簡単な説明】
【図１】本発明による磁気テープカートリッジをそのスライドドアの閉状態で示す斜視図
【図２】図１の磁気テープカートリッジをそのスライドドアの開状態で示す斜視図
【図３】リーダーピンの一部を断面とした外形図
【図４】リーダーピンの一実施の形態を示す分解斜視図および横断面図
【符号の説明】
１    カートリッジケース
１ａ    上シェル
１ｂ    下シェル
２    テープ引出用開口部
３    スライドドア
４    リーダーピン
１０    磁気テープ
１１    胴部
１２    細径部
１３，１４    フランジ
１３ａ    凹部
１５    芯棒
１６    クランプ部材
【図１】
0003614633.tif 000002
【図２】
0003614633.tif 000003
【図３】
0003614633.tif 000004
【図４】
0003614633.tif 000005